(57)【特許請求の範囲】
【請求項１】
多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の可動框に取り付けた横引き式網戸であって、一端を上記縦枠部材に固定したワイヤーを、上記ネット中に水平に挿通したうえで、上記可動框に設けたガイド部材を介して該可動框中に垂下させ、該可動框中においてそのワイヤーの先端に重錘を吊下したものにおいて、
上記可動框における重錘の昇降路に沿って、ストッパを差し込むことにより重錘の上昇を抑止する穴を多数列設した、
ことを特徴とする横引き式網戸。
【請求項２】
多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の可動框に取り付けた横引き式網戸であって、一端を上記可動框に固定したワイヤーを上記ネット中に水平に挿通したうえで、上記縦枠部材に設けたガイド部材を介して該縦枠部材中に垂下させ、該縦枠部材中においてそのワイヤーの先端に重錘を吊下したものにおいて、
上記縦枠部材における重錘の昇降路に沿って、ストッパを差し込むことにより重錘の上昇を抑止する穴を多数列設した、
ことを特徴とする横引き式網戸。
【請求項３】
ストッパを差し込むための穴を、昇降する重錘の一部が目視できる程度の大きさに穿設した、
ことを特徴とする請求項１または２に記載の横引き式網戸。
【請求項４】
重錘の昇降路を備えた可動框または縦枠部材に、ネットの折り畳み収納時において上記ストッパを差し込むことにより重錘の移動を抑止する穴を穿設した、
ことを特徴とする請求項１乃至３のいずれかに記載の横引き式網戸。
【請求項５】
多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の可動框に取り付けた横引き式網戸であって、一端を上記縦枠部材に固定したワイヤーを、上記ネット中に水平に挿通したうえで、上記可動框に設けたガイド部材を介して該可動框中に垂下させ、該可動框中において上記ワイヤーの先端を可動框の内底部に一端を固定したばね部材の他端に連結したものにおいて、
上記可動框におけるばね部材の伸縮軌道に沿って、ストッパを差し込むことによりばね部材の伸長を抑止する穴を多数列設した、
ことを特徴とする横引き式網戸。
【請求項６】
多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の可動框に取り付けた横引き式網戸であって、一端を上記可動框に固定したワイヤーを上記ネット中に水平に挿通したうえで、上記縦枠部材に設けたガイド部材を介して該縦枠部材中に垂下させ、該縦枠部材中において上記ワイヤーの先端を縦枠部材の内底部に一端を固定したばね部材の他端に連結したものにおいて、
上記縦枠部材におけるばね部材の伸縮軌道に沿って、ストッパを差し込むことによりばね部材の伸長を抑止する穴を多数列設した、
ことを特徴とする横引き式網戸。
【請求項７】
ストッパを差し込むための穴を、上記ばね部材の一部が目視できる程度の大きさに穿設した、
ことを特徴とする請求項５または６に記載の横引き式網戸。
【請求項８】
ばね部材の伸縮軌道を備えた可動框または縦枠部材に、ネットの折り畳み収納時において上記ストッパを差し込むことによりばね部材の伸長を抑止する穴を穿設した、
ことを特徴とする請求項５乃至７のいずれかに記載の横引き式網戸。
【発明の詳細な説明】
【０００１】
【発明の属する技術分野】
本発明は、建物開口部に防虫のために取り付けられ、アコーディオン式に伸縮自在のネットを横引きにより開閉自在とした網戸に関するものである。
【０００２】
【従来の技術】
従来から、図９に示すような網戸、即ち、多数の平行で等間隔な折曲部において交互に逆方向に折曲することによりアコーディオン式に伸縮自在としたネット８２を、枠体８１内において横引き式に開閉自在とした横引き式網戸は、極めて一般的に知られている。この横引き式網戸においては、上記ネット８２の一端を上記枠体８１の一方の縦枠部材８１ａに固定すると共に、該ネット８２の他端を上記枠体８１の上下の横枠部材８１ｃ，８１ｄに沿って摺動する開閉操作用の可動框８３に取り付け、また、ネット８２の上下端を横枠部材８１ｃ，８１ｄに嵌入した状態でガイドさせ、それによって該ネット８２を開閉自在にしている。
【０００３】
上記横引き式網戸においては、図９に例示しているように、可動框８３に一端を固定したワイヤー８４ａ〜８４ｄを、上記ネット８２中に水平に挿通したうえで、上記縦枠部材８１ａの上部に設けたガイド部材８５を介して該縦枠部材中に垂下させ、該縦枠部材８１ａ中においてそれらのワイヤーの先端に重錘８６を吊下しておくと、ネット８２が張設状態にある場合に、可動框８３とそれが当接している縦枠部材８１ｂとの間に設けた掛け金具８７を外したとき、該張設状態にあるネット８２を上記重錘８６の作用により自動的に折り畳み、建物開口部を自動開放することができる。縦枠部材８１ａに一端を固定したワイヤーの先端を可動框内に垂下させて、その先端に重錘を吊下した場合も同様である。
【０００４】
しかるに、通常、上記ネット８２が張設状態にあるときの上記重錘８６とその上昇限となる当接部８８との間にある程度の間隔ｄが生じるようにワイヤー長を設定し、建物開口部への枠体８１の取付けの際の縦横枠部材８１ａ〜８１ｄの寸法調整等を行う際に支障を来さないようにしているので、張設したネット８２にある程度強い風などの外力が作用したときには、図１０に示すように重錘８６が引き上げられ、ネット８２が風下側に膨らんで、その上下端が横枠部材８１ｃ，８１ｄから脱出し、その部分において防虫の目的を達成できなくなるばかりでなく、その都度ネットの上下端を横枠部材８１ｃ，８１ｄ内に復帰させる作業が必要となる。
【０００５】
即ち、上記ネット８２は、重錘８６によりワイヤーに作用する張力でその姿勢を所定の張設状態に保持し、比較的弱い風では風下側になびかないようにしているが、それにある程度強い外力が作用したときには、重錘８６を図１０に示すような当接部８８への当接位置まで引き上げながら風下側に膨らむので、それに伴って伸縮自在のネット８２の上下端が横枠部材８１ｃ，８１ｄから外れ、上記不都合が生じることになる。
【０００６】
また、この不都合を避けるために重錘８６をより重くすると、風等によるネットの膨らみを一層抑制できるが、ネット８２の張設操作のための可動框８３の操作力が大きくなり、しかも、張設したネット８２を該重錘８６の作用で自動開放するとき、可動框８３が開放側の縦枠部材に強く衝突し、大きな衝撃音を発すると共に、衝撃によって一部が破損する可能性も生じることになる。
【０００７】
上述のような問題点を解決するものとして、図１１に示すように、上記ネット８２が張設状態にあるときの重錘８６とその上昇限となる当接部８８との間にばね部材９０を介装することにより、耐風性を向上させるとともに防虫性を確保した横引き式網戸を既に提案している（特願２００１−１７３８２３号）。
【０００８】
この既提案の網戸は、ワイヤー８４ａ〜８４ｄに吊下する重錘８６を必要以上に大きくすることなしに、ネット８２が張設状態にあるときだけワイヤーに作用する張力を高め、それによって、張設したネット８２にある程度強い風などの外力が作用したときもネットの膨らみを抑制できる点で有効なものであるが、ユーザー自身が網戸の設置場所に応じて網戸幅を小さくした場合などは、図示したようなネット８２の張設状態において、重錘８６とばね部材９０との間に間隔ができないように、可動框８３に固定したワイヤー８４ａ〜８４ｄをそれぞれ調整具９１により引っ張って、ワイヤーの長さ調整をする必要があり、その調整作業をユーザーが行うのは困難な場合が考えられ、またその調整のための部品が必要になるとともに、その調整具９１を収容するためのスペースを確保する必要があるため、可動框等が比較的大きくなってしまうことも考えられる。
【０００９】
さらに、網戸出荷時等における上記重錘８６の固定は、ビス止めやワイヤーの巻き付けなどの方法により行っているが、出荷時における上記重錘の固定のためだけにそのような手間をかけるのは、網戸の組み立て作業の繁雑化を招くばかりでなく、製造コストの面から見ても不利である。
【００１０】
【発明が解決しようとする課題】
本発明は、上記のような問題点に鑑みてなされたものであって、その技術的課題は、基本的には、ネットの張設時にワイヤーを緊張状態に保持するための重錘の上昇限度、あるいはばね部材の伸長限度を、任意の位置で簡易に設定できるようにした横引き式網戸を提供することにある。
【００１１】
本発明の更に具体的な技術的課題は、網戸幅が変化しても、前述した調整具によるワイヤー長の調整をすることなく、重錘の上昇またはばね部材の伸長を簡単に抑止できるようにして、上記ワイヤーの調整のための調整具を別途設ける必要をなくし、結果的に網戸自体の構造の簡易化を図った横引き式網戸を提供することにある。
本発明の他の技術的課題は、網戸の出荷、移送時等における上記重錘またはばね部材の固定のための手段を、網戸の使用時におけるそれらの調整のための手段と共通化し、網戸の組み立て作業をより簡易に行うことができるようにするとともに、製造コストの低廉化を図った横引き式網戸を提供することにある。
【００１２】
【課題を解決するための手段】
上記課題を解決するための本発明の第１の横引き式網戸は、多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の可動框に取り付けた横引き式網戸であって、一端を上記縦枠部材に固定したワイヤーを、上記ネット中に水平に挿通したうえで、上記可動框に設けたガイド部材を介して該可動框中に垂下させ、該可動框中においてそのワイヤーの先端に重錘を吊下したものにおいて、上記可動框における重錘の昇降路に沿って、ストッパを差し込むことにより重錘の上昇を抑止する穴を多数列設したことを特徴とするものである。
【００１３】
また、本発明の第２の横引き網戸は、多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の可動框に取り付けた横引き式網戸であって、一端を上記可動框に固定したワイヤーを上記ネット中に水平に挿通したうえで、上記縦枠部材に設けたガイド部材を介して該縦枠部材中に垂下させ、該縦枠部材中においてそのワイヤーの先端に重錘を吊下したものにおいて、上記縦枠部材における重錘の昇降路に沿って、ストッパを差し込むことにより重錘の上昇を抑止する穴を多数列設したことを特徴とするものである。
【００１４】
上記第１及び第２の横引き式網戸においては、上記ストッパを差し込むための穴を、昇降する重錘の一部が目視できる程度の大きさに穿設するのが適切であり、また、重錘の昇降路を備えた可動框または縦枠部材に、ネットの折り畳み収納時において上記ストッパを差し込むことにより重錘の移動を抑止する穴を穿設することができる。
【００１５】
さらに、本発明の第３の横引き式網戸は、多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の可動框に取り付けた横引き式網戸であって、一端を上記縦枠部材に固定したワイヤーを、上記ネット中に水平に挿通したうえで、上記可動框に設けたガイド部材を介して該可動框中に垂下させ、該可動框中において上記ワイヤーの先端を可動框の内底部に一端を固定したばね部材の他端に連結したものにおいて、上記可動框におけるばね部材の伸縮軌道に沿って、ストッパを差し込むことによりばね部材の伸長を抑止する穴を多数列設したことを特徴とするものである。
【００１６】
また、本発明の第４の横引き式網戸は、多数の平行で等間隔な折曲部において交互に逆方向に折曲することによりアコーディオン式に伸縮自在としたネットを、枠体内において横引き式に開閉自在とし、上記ネットの一端を上記枠体の縦枠部材に固定すると共に、該ネットの他端を上記枠体に沿って摺動する開閉操作用の可動框に取り付けた横引き式網戸であって、一端を上記可動框に固定したワイヤーを上記ネット中に水平に挿通したうえで、上記縦枠部材に設けたガイド部材を介して該縦枠部材中に垂下させ、該縦枠部材中において上記ワイヤーの先端を縦枠部材の内底部に一端を固定したばね部材の他端に連結したものにおいて、上記縦枠部材におけるばね部材の伸縮軌道に沿って、ストッパを差し込むことによりばね部材の伸長を抑止する穴を多数穿設したことを特徴とするものである。
【００１７】
本発明の上記第３及び第４の横引き式網戸においては、上記ストッパを差し込むための穴を、上記ばね部材の一部が目視できる程度の大きさに穿設するのが適切であり、また、  ばね部材の伸縮軌道を備えた可動框または縦枠部材に、ネットの折り畳み収納時において上記ストッパを差し込むことによりばね部材の伸長を抑止する穴を穿設することができる。
【００１８】
上記構成を有する第１乃至第４の横引き式網戸は、建物開口部に取り付けて使用するに際し、枠体内にネットを張設した状態で、ワイヤーを緊張状態に保持するための重錘あるいはばね部材の上端位置に開口しているところの、可動框または縦枠部材の穴にストッパを差し込むことにより、ネットの張設時における上記重錘の上昇限度、あるいはばね部材の伸長限度を設定することができ、即ち、可動框あるいは縦枠部材に列設した穴のうちの最適な位置にある穴を選択して、それにストッパを差し込むだけの操作により、簡易に上記限度を設定することができる。
上記ストッパの挿入により重錘の上昇限度あるいはばね部材の伸長限度を設定すると、枠体内にネットを張設した状態では上記重錘の上昇あるいはばね部材の伸長がなく、したがって、強い風などの外力が作用してもネットが風下側に膨らむのを抑制することができる。
【００１９】
また、ユーザー自身が当該網戸の設置場所に応じて網戸幅を小さくするなどにより網戸幅が変化した場合においても、第１及び第２の横引き式網戸では、可動框あるいは縦枠部材における上記重錘の昇降路に沿って穿設した穴のうちの適切な位置にあるものにストッパを差し替え、第３及び第４の横引き式網戸では、可動框あるいは縦枠部材における上記ばね部材の伸縮軌道に沿って穿設した穴のうちの適切な位置にあるものにストッパを差し替える、という簡易な手段により、図１１に示す構造例のように、調整具９１でワイヤー長の調整をすることなく、重錘の過度な上昇若しくはばね部材の過度な伸長を抑止でき、しかも、上記ワイヤー長の調整を必要としないため、上記調整具を可動框あるいは縦枠部材に別途設ける必要がなく、結果的に網戸自体の構造の簡易化をはかることができる。
【００２０】
さらに、上記可動框あるいは縦枠部材における重錘の昇降路若しくはばね部材の伸縮軌道に沿って、網戸の出荷、移送時等に上記ストッパを差し込むことにより重錘の移動若しくはばね部材の伸長を抑止する穴を穿設しているので、網戸の出荷時等における重錘若しくはばね部材の固定のための手段と、網戸の使用時における重錘若しくはばね部材の調整のための手段とを共通化することができ、それにより網戸の組み立て作業をより簡易に行うことができるとともに、製造コストの低廉化をはかることができる。
【００２１】
【発明の実施の形態】
図１は本発明に係る横引き式網戸の第１実施例を示している。
この第１実施例の横引き式網戸は、多数の平行で等間隔な折曲部１２ａにおいて交互に逆方向に折曲することによりアコーディオン式に伸縮自在とした防虫用のネット１２を、建物開口部に固定される枠体１１内において横引き式に開閉自在としたものである。上記枠体１１は、アルミニウムあるいは合成樹脂からなる一対の縦枠部材１１ａ，１１ｂ、及び上下の横枠部材１１ｃ，１１ｄを四隅において相互にねじ等で連結することにより構成されたものである。
なお、下方の横枠部材１１ｄは、バリヤフリー構造にする場合には必ずしも固定的に備えなくてもよい。
【００２２】
上記ネット１２は、その一端を上記枠体１１の一方の縦枠部材１１ａに固定すると共に、該ネット１２の他端を上記枠体１１の上下の横枠部材１１ｃ，１１ｄに沿って摺動する開閉操作用の可動框１３に取り付けている。該可動框１３は、その上端部に取り付けられた転輪１３ａが上部の横枠部材１１ｃ内に設けたレール上を走行するようにしており、また、該ネット１２の上下端は上記横枠部材１１ｃ，１１ｄに設けた溝によってガイドさせている。
【００２３】
上記横引き式網戸においては、ネット１２中の上下部及びそれらの中間部の各水平方向に略等間隔でワイヤー１４ａ〜１４ｄを多段に挿通し、該ワイヤー１４ａ〜１４ｄの各一端を上記縦枠部材１１ａに固定すると共に、それらのワイヤー１４ａ〜１４ｄの他端を、ネット１２中に挿通したうえで可動框１３内に挿通し、最上位のワイヤー１４ａを除く他のワイヤー１４ｂ〜１４ｄを、図示を省略している転向子を介して可動框１３内を上方に導き、それらを最上位のワイヤー１４ａと共に可動框１３の上部に設けたガイド部材１５を介して、可動框１３中に垂下させ、該可動框１３中において、それらのワイヤー１４ａ〜１４ｄの先端に重錘１６を吊下している。
【００２４】
可動框１３中に垂下させる上記ワイヤー１４ａ〜１４ｄは、それらを個別的に垂下させて先端に重錘１６を取り付けることもできるが、それらを一纏めにして垂下させることもできる。このように、ワイヤー１４ａ〜１４ｄの複数をネット１２に多段に挿通し、可動框１３内においてそれらのワイヤーに重錘１６を吊下すると、各ワイヤーに略均等に作用する張力によって当該可動框１３を平行移動させることができる。また、風圧等の作用によりネット１２が風下側に膨らんだりするのが抑制される。
なお、縦枠部材１１ｂと可動框１３との間には、上記重錘１６によるワイヤーの張力に抗して可動框１３をネットの張設位置に保持する掛け金具１７を設けている。
【００２５】
そして、上記可動框１３には、図１乃至図４に詳細に示すように、その内部に形成された重錘１６の昇降路２０に沿って、ストッパ２２を差し込むための多数の穴２１ａ，２１ａ，・・を穿設している。更に具体的には、図３及び図４に明瞭に示すように、可動框１３にはネット１２の端部を固定したネット取付板２３を嵌着し、このネット取付板の内側に位置する内板２４に上記穴２１ａ，２１ａ，・・を列設し、ネット取付板２３のこれらの穴２１ａ，２１ａに対応する位置にはスリット２３ａを開設している。また、上記ストッパ２２は、重錘１６の上まで伸びる脚部２２ａと、可動框１３の角縁に係合させるための先端に係合鉤２２ｃをもつ係合部２２ｂとを備え、それにより脚部２２ａをいずれかの穴２１ａに挿入した状態で係合部２２ｂの係合鉤２２ｃを可動框１３の角縁に係合させると、その位置にストッパが不動に固定され、重錘１６の上昇を抑止できるものである。
【００２６】
上記ストッパ２２は、重錘１６が必要以上に上昇してワイヤー１４ａ〜１４ｄに弛みが生じるのを抑止し、結果的にネット１２に風等による膨らみが生じるのを抑止するためのものである。そのため、網戸を建物開口部に取り付けて使用するに際し、可動框１３を掛け金具１７で縦枠部材１１ｂに係合保持させたネット１２の張設状態で、重錘１６の上端位置に開口しているところの可動框１３の穴２１ａにストッパ２２の脚部２２ａを差し込むことにより、ネット１２の張設時における上記重錘１６の上昇限度を設定できるようにしている。即ち、可動框１３に列設した多数の穴２１ａのうちの最適な位置にある穴を選択して、それにストッパ２２を差し込むという操作により、重錘１６の上昇限度を設定することができ、強い風などの外力によりネットが風下側に膨らむのを抑制することができる。
【００２７】
また、上記可動框１３の下部には、図１及び図２に示すように、上述した多数の穴２１ａ，２１ａ，・・と同列に、上記ストッパ２２を差し込むことにより、網戸の出荷、移送時等に重錘１６の移動を抑止する穴２１ｂを穿設している。この穴２１ｂは、前記穴２１ａと同様なもので、図示したように複数であってもよいが、重錘１６の固定に適した単一の穴とすることもできる。この穴２１ｂに対するストッパ２２の固定は、穴２１ａの場合と全く同様である。
上記穴２１ｂへのストッパ２２の挿入による重錘１６の固定は、網戸の出荷、移送時等において、重錘１６が移動して他の部分を損傷したり、ワイヤーが弛んで可動框１３が不必要に移動するのを抑止するためのものである。従って、ストッパ２２を重錘１６自体に設けた穴等に挿入することもできる。
【００２８】
上記穴２１ａ，２１ｂに対するストッパ２２の差し込みは、可動框１３内の昇降路２０における重錘１６の動きをそれらの穴を通して目視しながら行うことになるので、それらの穴２１ａ，２１ｂは、重錘を目視できる程度の大きさに穿設する必要があり、また、重錘１６の上位にストッパ２２を差し込むことから、重錘の上部に着色その他の目印となる表示等を施して、ストッパ２２を挿入すべき穴を明確にするのが望ましい。
図５は、横引き式網戸の出荷あるいは移送、保管等のために、上記穴２１ｂを利用してストッパ２２により重錘１６を固定的に保持し、それに伴って、可動框１３を縦枠部材１１ａと一体化した状態を示している。なお、ここでは出荷のために枠体１１における縦枠部材１１ａ以外の部材は取り外された状態を示している。ここで使用しているストッパ２２は、この網戸の設置後は、穴２１ａに挿入してネット１２の膨らみの防止に用いることができるものである。
【００２９】
上記構成を有する横引き式網戸は、建物開口部に取り付けて使用するに際し、枠体１１内にネット１２を張設した状態で、ワイヤーを緊張状態に保持するための重錘１６の上端位置に開口している可動框１３の穴２１ａにストッパ２２の脚部２２ａを差し込むことにより、ネット１２の張設時における上記重錘１６の上昇限度を設定することができるものである。
上記ストッパ２２の挿入により重錘１６の上昇限度を設定すると、枠体１１内にネット１２を張設した状態では、上記重錘１６の上昇がなく、したがって、強い風などの外力がネット１２作用しても該ネット１２が風下側に膨らむのを抑制することができる。
【００３０】
また、ユーザー自身が網戸幅を小さくする場合においても、可動框１３における上記重錘１６の昇降路２０に沿って穿設した穴２１ａのうちの適切な位置にあるものにストッパ２２を差し替えるという簡易な手段により、重錘１６の過度な上昇を抑止することができる。
さらに、上記可動框１３における重錘１６の昇降路２０に沿って、網戸の使用時における重錘１６の上昇限度を設定する穴２１ａと、網戸の出荷、移送時等にストッパ２２を差し込んで重錘の移動を抑止する穴２１ｂを穿設しているので、網戸の使用時における重錘の上昇限度の調整のための手段と、網戸の出荷時等における重錘の固定手段とを共通化することができ、それにより網戸の組み立て作業をより簡易に行うことができるとともに、製造コストの低廉化をはかることができる。
【００３１】
図６は、本発明に係る横引き式網戸の第２実施例を示すもので、この第２実施例では、縦枠部材３１ａ，３１ｂ、及び上下の横枠部材３１ｃ，３１ｄからなる枠体３１内において、ネット３２を横引き式に開閉自在としているが、上記第１実施例と比べて、複数のワイヤー３４ａ〜３４ｄの一端を可動框３３に取り付け、該ワイヤー３４ａ〜３４ｄをネット３２中に水平に挿通したうえで、図示を省略している転向子を介し、更に縦枠部材３１ａの上部に設けたガイド部材３５を介して該縦枠部材３１ａ中における重錘３６の昇降路４０に垂下させ、該縦枠部材３１ａ中において、それらのワイヤーの先端に重錘３６を吊下した点で相違している。
【００３２】
また、この第２実施例では、第１実施例との上記構成の差異に伴い、縦枠部材３１ａにストッパ４２を挿入する穴４１ａ及び４１ｂを設けているが、それらは第１実施例において可動框１３に設けていたものを単に縦枠部材３１ａに設けた点のみにおいて相違し、その他の点では第１実施例と変わるところがない。更に、第２実施例の上記以外の構成及び作用効果は、第１実施例の場合と変わるところがないので、それらの説明は省略する。
【００３３】
図７は、本発明に係る横引き式網戸の第３実施例を示すもので、この第３実施例では、第１実施例と同様の縦枠部材１１ａ，１１ｂ、及び上下の横枠部材１１ｃ，１１ｄからなる枠体１１内において、ネット１２を横引き式に開閉自在としているが、上記第１実施例と比べて、可動框１３中に垂下させたワイヤー１４ａ〜１４ｄの先端に連結した重錘１６に代えて、該可動框１３の内底部に一端を固定したばね部材４６の他端に連結している。また、それに伴い、上記可動框１３におけるばね部材４６の伸縮軌道５０に沿って、ストッパ２２を差し込むことによりばね部材４６の伸長を抑止する多数の穴２１ａ，２１ａ，・・・を列設し、更に、該可動框１３の下部に、ネット１２の折り畳み収納時において上記ストッパ２２を差し込むことによりばね部材４６の伸長を抑止する穴２１ｂを穿設してるが、それらの構造自体は第１実施例と変わるところがない。
従って、この第３実施例は、第１実施例とその重錘１６に代えてばね部材４６を用いた点のみにおいて相違し、その他の点では変わるところがないので、それらの説明は省略する。
【００３４】
図８は、本発明に係る横引き式網戸の第４実施例を示すもので、この第４実施例では、第２実施例と同様に、縦枠部材３１ａ，３１ｂ、及び上下の横枠部材３１ｃ，３１ｄからなる枠体３１内において、ネット３２を横引き式に開閉自在とし、一端を可動框３３に取り付けたワイヤー３４ａ〜３４ｄをネット３２中に水平に挿通したうえで、縦枠部材３１ａの上部に設けたガイド部材３５を介して該縦枠部材３１ａ中のばね部材の伸縮軌道６０に垂下させているが、それらのワイヤー３４ａ〜３４ｄの先端に第３実施例と同様のばね部材５６を連結した点で、該第２実施例とは相違している。また、この第４実施例においては、縦枠部材３１ａにストッパ４２を挿入する穴４１ａ及び４１ｂを設けているが、それらについては、第３実施例と変わるところがない。
このように、この第４実施例は、第２実施例または第３実施例と部分的に共通する構成を有しているので、それらの説明は省略する。
【００３５】
以上において、本発明に係る横引き式網戸の実施の形態について詳述したが、本発明はその特許請求の範囲に記載されている発明の精神を逸脱しない範囲で、設計において種々の変更ができるものである。
【００３６】
【発明の効果】
以上に詳述した本発明の横引き式網戸によれば、ネットの張設時にワイヤーを緊張状態に保持するための重錘の上昇限度、あるいはばね部材の伸長限度を、多数の穴のうちの適切な位置にあるものを選択して、それにストッパを挿入するだけで簡易に設定でき、そのため、ユーザーが網戸幅を変化させる場合にも、ワイヤー長を調整したりすることなく、上記ストッパの位置の変更のみで重錘の過度の上昇またはばね部材の過度の伸長を抑止することができる。また、網戸の出荷、移送時等における上記重錘またはばね部材の固定のための手段を、網戸の使用時におけるそれらの調整のための手段と共通化しているので、網戸の組み立て作業をより簡易に行うことができるとともに、製造コストの低廉化をはかることができる。
【図面の簡単な説明】
【図１】本発明に係る横引き式網戸の第１実施例の構成を部分断面により模式的に示す正面図である。
【図２】上記第１実施例における可動框の部分側面図である。
【図３】上記第１実施例における可動框の要部の構成を示す部分拡大斜視図である。
【図４】上記可動框の要部横断面図である。
【図５】上記第１実施例における要部の出荷、移送状態を説明するための模式的説明図である。
【図６】本発明に係る横引き式網戸の第２実施例の構成を部分断面により模式的に示す正面図である。
【図７】同第３実施例の構成を模式的に示す正面図である。
【図８】同第４実施例の構成を模式的に示す正面図である。
【図９】公知の横引き式網戸の構成例を模式的に示す正面図である。
【図１０】上記公知の横引き式網戸に強い外力が作用した場合の状況を示す模式的正面図である。
【図１１】既提案の横引き式網戸の構成例を模式的に示す正面図である。
【符号の説明】
１１，３１    枠体
１１ａ，３１ａ  縦枠部材
１２，３２    ネット
１３，３３    可動框
１４ａ〜１４ｄ，３４ａ〜３４ｄ  ワイヤー
１５，３５    ガイド部材
１６，３６    重錘
２０，４０    昇降路
２１ａ，２１ｂ，４１ａ，４１ｂ  穴
２２，４２    ストッパ
４６，５６    ばね部材
５０，６０    伸縮軌道
【図１】
0003662876.tif 000002
【図２】
0003662876.tif 000003
【図３】
0003662876.tif 000004
【図４】
0003662876.tif 000005
【図５】
0003662876.tif 000006
【図６】
0003662876.tif 000007
【図７】
0003662876.tif 000008
【図８】
0003662876.tif 000009
【図９】
0003662876.tif 000010
【図１０】
0003662876.tif 000011
【図１１】
0003662876.tif 000012